【手続補正書】
【提出日】平成17年5月23日(2005.5.23)
【手続補正１】
【補正対象書類名】明細書
【補正対象項目名】０００２
【補正方法】変更
【補正の内容】
【０００２】
【従来の技術】  
一般に、マイナスイオンは、物体が激しくぶつかる時（例えば、滝等のように、水滴が激しくぶつかり合う時）に生成され、または宇宙線や大地からの放射線によって地球上で放出されるものであって、「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能があることが認められている。このため、近年、マイナスイオンの効能を利用した各種の商品の開発が盛んに行われている。
【手続補正２】
【補正対象書類名】明細書
【補正対象項目名】００１７
【補正方法】変更
【補正の内容】
【００１７】
そして、生成されたマイナス空気イオンを呼吸器系から体内に取り込むことにより、前述した「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られるものである。
【手続補正３】
【補正対象書類名】明細書
【補正対象項目名】００２１
【補正方法】変更
【補正の内容】
【００２１】
そして、生成されたマイナス空気イオンは呼吸器系から体内に取り込まれ、前述した「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られるものである。
【手続補正４】
【補正対象書類名】明細書
【補正対象項目名】００２５
【補正方法】変更
【補正の内容】
【００２５】
そして、生成されたマイナス空気イオンは呼吸器系から体内に取り込まれ、前述した「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られるものである。
【手続補正５】
【補正対象書類名】明細書
【補正対象項目名】００２９
【補正方法】変更
【補正の内容】
【００２９】
そして、生成されたマイナス空気イオンは呼吸器系から体内に取り込まれ、前述した「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られるものである。
【手続補正６】
【補正対象書類名】明細書
【補正対象項目名】００３３
【補正方法】変更
【補正の内容】
【００３３】
そして、生成されたマイナス空気イオンは呼吸器系から体内に取り込まれ、前述した「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られるものである。
【手続補正７】
【補正対象書類名】明細書
【補正対象項目名】００３５
【補正方法】変更
【補正の内容】
【００３５】
【発明の効果】
本発明は、請求項１のように構成したことにより、樹脂材内に分散させたマイナスイオン発生材により、空気中の微粒子がイオン化されてマイナス空気イオンが生成されることになる。従って、請求項１に係るマイナスイオン発生具を例えばメガネフレームのモダン、長モダン、成形テンプル、樹脂テンプル、鼻当て用のパッドに使用することにより、メガネフレームを使用する人の周囲に位置する空気中の微粒子がイオン化され、マイナス空気イオンが生成されることになる。そして、このマイナス空気イオンを呼吸器系から体内に取り込むことにより、「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られ、健康の促進、健康の維持に有効になるものである。
【手続補正８】
【補正対象書類名】明細書
【補正対象項目名】００３６
【補正方法】変更
【補正の内容】
【００３６】
また、請求項２のように構成したことにより、樹脂材内に分散させたマイナスイオン発生材の放射性物質から放出される放射線により、空気中の微粒子がイオン化されてマイナスイオンが生成されることになる。従って、請求項２に係るマイナスイオン発生具を例えばメガネフレームのモダン、長モダン、成形テンプル、樹脂テンプル、鼻当て用のパッドに使用することにより、メガネフレームを使用する人の周囲に位置する空気中の微粒子がイオン化され、マイナス空気イオンが生成されることになる。そして、このマイナス空気イオンを呼吸器系から体内に取り込むことにより、「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られ、健康の促進、健康の維持に有効になるものである。
【手続補正９】
【補正対象書類名】明細書
【補正対象項目名】００３７
【補正方法】変更
【補正の内容】
【００３７】
さらに、請求項３のように構成したことにより、樹脂材内に分散させたマイナスイオン発生材を構成する物質のうち、放射性物質（Ｔｈ、Ｕ等）から放射線が放出されることにより、空気中の微粒子がイオン化され、マイナスイオンが生成されることになる。従って、請求項３に係るマイナスイオン発生具を例えばメガネフレームのモダン、長モダン、成形テンプル、樹脂テンプル、鼻当て用のパッドに使用することにより、メガネフレームを使用する人の周囲に位置する空気中の微粒子がイオン化され、マイナス空気イオンが生成されることになる。そして、このマイナス空気イオンを呼吸器系から体内に取り込むことにより、「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られ、健康の促進、健康の維持に有効になるものである。
【手続補正１０】
【補正対象書類名】明細書
【補正対象項目名】００３８
【補正方法】変更
【補正の内容】
【００３８】
さらに、請求項４のように構成したことにより、樹脂材内に分散させたマイナスイオン発生材の放射性物質から放出される放射線と遠赤外線放射鉱石から放出される遠赤外線との協働により、空気中の微粒子がイオン化され、マイナスイオンが生成されることになる。従って、請求項４に係るマイナスイオン発生具を例えばメガネフレームのモダン、長モダン、成形テンプル、樹脂テンプル、鼻当て用のパッドに使用することにより、メガネフレームを使用する人の周囲に位置する空気中の微粒子がイオン化され、マイナス空気イオンが生成されることになる。そして、このマイナス空気イオンを呼吸器系から体内に取り込むことにより、「体内の活性酸素を抑制する」、「酸性化体質をアルカリ化し、免疫力を向上させる」、「副交感神経に作用して、不安定化した自律神経の調節を活発にし、ストレスの緩和や精神の安定化に役立つ」、「生体細胞の活性化により、身体機能が向上する」等の効能が得られ、健康の促進、健康の維持に有効になるものである。さらに、請求項４に係るマイナスイオン発生具は、遠赤外線によって空気中の微粒子のイオン化を更に効果的に行うことができるので、放射線のみによって空気中の微粒子のイオン化を行うものよりも更に効果的にマイナス空気イオンを生成することができることになる。